(57)【要約】【課題】  ＤＨＣＰクライアント機能を有する端末装置においても、固定ＩＰアドレスを用いた端末と同様の通信処理を行うようにする。【解決手段】  ファクシミリ装置１００は、ＤＨＣＰサーバ１２０から、ＩＰアドレスを取得するＤＨＣＰクライアント機能を有する。ファクシミリ装置１００は、ＤＨＣＰクライアント機能をオンまたはオフにするＤＨＣＰクライアント機能スイッチ１０２と、ＤＨＣＰクライアント機能がオンのときに、ＤＨＣＰサーバ１２０からＩＰアドレスを取得するＩＰアドレス取得部１０４と、ＩＰアドレス取得部１０４が取得したＩＰアドレスを用いてＩＰ網１４０に接続する接続処理部１１０とを含む。ＤＨＣＰクライアント機能スイッチ１０２は、ＩＰアドレス取得部１０４がＤＨＣＰサーバ１２０からＩＰアドレスを取得した場合に、ＤＨＣＰクライアント機能をオフにする。【選択図】        図１
2006005820.tif 000002
【特許請求の範囲】
【請求項１】
ＤＨＣＰサーバから、ＩＰアドレスを取得するＤＨＣＰクライアント機能を有する端末装置であって、
前記ＤＨＣＰクライアント機能をオンまたはオフにするスイッチ手段と、
前記ＤＨＣＰクライアント機能がオンのときに、前記ＤＨＣＰサーバからＩＰアドレスを取得するＩＰアドレス取得手段と、
前記ＩＰアドレス取得手段が取得したＩＰアドレスを用いてネットワークに接続する接続手段と、
を含み、
前記スイッチ手段は、前記ＩＰアドレス取得手段が、前記ＤＨＣＰサーバからＩＰアドレスを取得した場合に、前記ＤＨＣＰクライアント機能をオフにすることを特徴とする端末装置。
【請求項２】
請求項１に記載の端末装置において、
前記ＩＰアドレス取得手段が取得したＩＰアドレスを記憶する記憶手段をさらに含み、
前記スイッチ手段は、前記記憶手段にＩＰアドレスが記憶されているか否かに基づき、前記ＤＨＣＰサーバからＩＰアドレスが取得済みか否かを判断し、前記ＩＰアドレスが取得されていないときに、前記ＤＨＣＰクライアント機能をオンにすることを特徴とする端末装置。
【請求項３】
請求項１または２に記載の端末装置において、
前記ＩＰアドレス取得手段が取得したＩＰアドレスを、他の端末に割り当て不可なＩＰアドレスとして、前記ＤＨＣＰサーバに通知する通知手段をさらに含むことを特徴とする端末装置。
【請求項４】
請求項３に記載の端末装置において、
前記ＩＰアドレス取得手段が取得したＩＰアドレスを消去する初期化手段をさらに含み、
前記通知手段は、前記初期化手段が消去したＩＰアドレスを、他の端末に割り当て可能なＩＰアドレスとして前記ＤＨＣＰサーバに通知することを特徴とする端末装置。
【請求項５】
請求項１または２に記載の端末装置において、
前記ＩＰアドレス取得手段が取得したＩＰアドレスを出力する出力手段をさらに含むことを特徴とする端末装置。
【発明の詳細な説明】
【技術分野】
【０００１】
この発明は、ネットワークに接続された端末装置に関し、とくに、ＤＨＣＰクライアント機能を有する端末装置に関する。
【背景技術】
【０００２】
近年、クライアント端末のＩＰアドレスの設定や一括管理を行うＤＨＣＰ（Dynamic  Host  Configuration  Protocol）サーバが開発されている。ＤＨＣＰサーバを用いることにより、クライアント端末を物理的にネットワークに接続すると、ＴＣＰ／ＩＰの通信に必要な設定が自動的に行われる。これにより、ネットワーク管理者の負担を大幅に低減することができる。
【０００３】
ところで、近年、ＭＦＰ（Multi Functional Peripheral）等のファクシミリ装置がインターネット等のネットワークに接続されて利用されることが多くなってきた。このようなファクシミリ装置は、ＨＴＴＰサーバ等のサーバ機能を有し、他のクライアント端末からのアクセスを受け付ける。
【０００４】
特許文献１には、固定ＩＰアドレス設定手段とＤＨＣＰからＩＰアドレスを取得するＤＨＣＰクライアント手段とを備えたＤＨＣＰサポート端末装置が記載されている。ここで、ＤＨＣＰサポート端末装置としては、ネットワークファクシミリ装置が例示されている。
【特許文献１】特開２００４−８６７４８号公報
【発明の開示】
【発明が解決しようとする課題】
【０００５】
しかし、ネットワークファクシミリ装置でＤＨＣＰを使用すると、ＩＰ自体が固定されていないため、送信側から受信側を特定することができず、ＩＰアドレス指定のＦＡＸ受信ができなくなる可能性があるという問題が生じる。とくに、上述したようなサーバ機能を有するＭＦＰにおいては、装置を起動するたびにＩＰアドレスが変わってしまうと、クライアント端末やＤＮＳサーバの設定も変更する必要が生じ、処理が複雑になってしまう。
【０００６】
特許文献１においては、このような場合に、ＩＰアドレス指定のインターネットＦＡＸ受信ができなくなる可能性がある旨をユーザに通知し、ユーザにＤＨＣＰ設定を続行するか否かを選択させるようになっている。
【０００７】
一方、従来、固定ＩＰを利用するためには、ユーザがＩＰアドレスやサブネットマスクを入力しなければならず、手間がかかっていた（特許文献１）。
【０００８】
本発明はこうした点に鑑みてなされたもので、その目的は、ＤＨＣＰクライアント機能を有する端末装置においても、固定ＩＰアドレスを用いた端末と同様の通信処理を行うことができるようにする技術の提供にある。
【課題を解決するための手段】
【０００９】
本発明によれば、ＤＨＣＰサーバから、ＩＰアドレスを取得するＤＨＣＰクライアント機能を有する端末装置であって、ＤＨＣＰクライアント機能をオンまたはオフにするスイッチ手段と、ＤＨＣＰクライアント機能がオンのときに、ＤＨＣＰサーバからＩＰアドレスを取得するＩＰアドレス取得手段と、ＩＰアドレス取得手段が取得したＩＰアドレスを用いてネットワークに接続する接続手段と、を含み、スイッチ手段は、ＩＰアドレス取得手段が、ＤＨＣＰサーバからＩＰアドレスを取得した場合に、ＤＨＣＰクライアント機能をオフにすることを特徴とする端末装置が提供される。
【００１０】
このようにすれば、ＤＨＣＰ（Dynamic  Host  Configuration  Protocol）サーバを利用してＩＰアドレスを取得することができるとともに、一旦ＩＰアドレスを取得した後は、ＤＨＣＰクライアント機能がオフとされるので、取得したＩＰアドレスを固定ＩＰアドレスとして利用することができる。
【００１１】
本発明の端末装置は、ネットワークファクシミリ装置やＭＦＰ（Multi Functional Peripheral）等、サーバ機能を有し、他の端末からのアクセスを受け付けるような装置とすることができる。このようなサーバ機能を有する装置においては、ＩＰアドレスが固定されていないと、他の端末からＩＰアドレスを指定したアクセスができなくなるという問題が生じる。本発明によれば、ＩＰアドレス取得手段がＩＰアドレスを取得した後は、そのＩＰアドレスを固定ＩＰアドレスとして用いることができるので、他の端末からのアクセスを受け付けることができる。
【００１２】
本発明の端末装置は、ＩＰアドレス取得手段が取得したＩＰアドレスを記憶する記憶手段をさらに含むことができ、スイッチ手段は、記憶手段にＩＰアドレスが記憶されているか否かに基づき、ＤＨＣＰサーバからＩＰアドレスが取得済みか否かを判断し、ＩＰアドレスが取得されていないときに、ＤＨＣＰクライアント機能をオンにすることができる。
【００１３】
スイッチ手段は、ＩＰアドレスを記憶する記憶手段を直接参照してＩＰアドレスが取得済みか否かを判断してもよく、また当該記憶手段にＩＰアドレスが記憶されているか否かを示すフラグを参照してＩＰアドレスが取得済みか否かを判断してもよい。
【００１４】
本発明の端末装置は、ＩＰアドレス取得手段が取得したＩＰアドレスを、他の端末に割り当て不可なＩＰアドレスとして、ＤＨＣＰサーバに通知する通知手段をさらに含むことができる。
【００１５】
このようにすれば、ＤＨＣＰサーバにおいて、本発明の端末装置に割り当てたＩＰアドレスを他の端末に割り当てることを禁止することができる。
【００１６】
本発明の端末装置は、ＩＰアドレス取得手段が取得したＩＰアドレスを消去する初期化手段をさらに含むことができ、通知手段は、初期化手段が消去したＩＰアドレスを、他の端末に割り当て可能なＩＰアドレスとしてＤＨＣＰサーバに通知することができる。
【００１７】
これにより、たとえば移動や取り替えのために本発明の端末装置をネットワークから取り外す際に、ＤＨＣＰサーバにおいて、固定ＩＰアドレスとして端末装置に占有されていたＩＰアドレスを他の端末に割り当てることができる。
【００１８】
本発明の端末装置は、ＩＰアドレス取得手段が取得したＩＰアドレスを出力する出力手段をさらに含むことができる。
【００１９】
ここで、出力手段は、プリンタや電子メール送信手段とすることができる。これにより、本発明の端末装置のユーザは、ＩＰアドレス取得手段が取得したＩＰアドレスを知ることができ、他の端末に割り当て不可なＩＰアドレスとして、ＤＨＣＰサーバの設定を行うことができる。
【００２０】
なお、以上の構成要素の任意の組合せ、本発明の表現を方法、装置、システム、記録媒体、コンピュータプログラムなどの間で変換したものもまた、本発明の態様として有効である。
【発明の効果】
【００２１】
本発明によれば、ＤＨＣＰクライアント機能を有する端末装置においても、固定ＩＰアドレスを用いた端末と同様の通信処理を行うことができる。
【発明を実施するための最良の形態】
【００２２】
図１は、本実施の形態におけるファクシミリ装置１００の構成を示すブロック図である。
ファクシミリ装置１００は、ＤＨＣＰクライアント機能スイッチ１０２、ＩＰアドレス取得部１０４、ＩＰアドレス記憶部１０６、ＩＰアドレス通知部１０８、接続処理部１１０、通信部１１２、および初期化処理部１１４を含む。
【００２３】
なお、図１において、本発明の本質に関わらない部分の構成については省略してあり、たとえば、ファクシミリ装置の構成である原稿読み取り部、画像処理部等は図示していない。
【００２４】
また、ファクシミリ装置１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２５】
ファクシミリ装置１００は、たとえばネットワークファクシミリ装置やＭＦＰ（Multi Functional Peripheral）等である。本実施の形態において、ファクシミリ装置１００は、ネットワーク１３０やＩＰ網１４０に接続可能である。ネットワーク１３０は、たとえばＬＡＮである。ＩＰ網１４０は、たとえばインターネットやイントラネット等、ＩＰアドレスを用いてデータの送受信が行われるネットワークである。ネットワーク１３０には、ＤＨＣＰ（Dynamic  Host  Configuration  Protocol）サーバ１２０が接続されている。ＤＨＣＰサーバ１２０は、ネットワーク１３０に接続されたＤＨＣＰクライアント機能を有する端末からＩＰアドレスの割り当て要求があると、その要求に応じて、端末にＩＰアドレスを割り当てる。なお、ここで、ネットワーク１３０およびＩＰ網１４０をそれぞれ記載しているが、これらは一つのネットワークとすることもできる。たとえば、ＤＨＣＰサーバ１２０は、ＩＰ網１４０に接続された構成とすることもできる。
【００２６】
本実施の形態において、ファクシミリ装置１００は、ＤＨＣＰクライアント機能を有し、ＤＨＣＰサーバ１２０からＩＰアドレスを取得する。ファクシミリ装置１００は、一旦ＩＰアドレスを取得すると、ＤＨＣＰクライアント機能をオフにして、そのＩＰアドレスを固定アドレスとして利用する。これにより、ファクシミリ装置１００において、ＩＰアドレスの設定を容易に行うことができるとともに、固定ＩＰアドレスを用いた通信も行うことができる。
【００２７】
通信部１１２は、ネットワーク１３０に接続されたＤＨＣＰサーバ１２０やＩＰ網１４０に接続された他の端末と通信を行う。
【００２８】
ＤＨＣＰクライアント機能スイッチ１０２は、ＤＨＣＰクライアント機能をオンまたはオフに切り替える。ＩＰアドレス取得部１０４は、ＤＨＣＰクライアント機能がオンのときに、通信部１１２を介してＤＨＣＰサーバ１２０からＩＰアドレスを取得する。ＩＰアドレス取得部１０４は取得したＩＰアドレスをＩＰアドレス記憶部１０６に記憶する。ＤＨＣＰクライアント機能スイッチ１０２は、ＩＰアドレス取得部１０４がＩＰアドレスを取得すると、ＤＨＣＰクライアント機能をオフにする。これにより、ファクシミリ装置１００は、ＩＰアドレス取得部１０４が一旦ＩＰアドレスを取得すると、それ以降はＤＨＣＰサーバ１２０から新たなＩＰアドレスの割り当てを受けることなく、取得済みのＩＰアドレスを固定アドレスとして用いることができる。
【００２９】
ＩＰアドレス通知部１０８は、ＩＰアドレス取得部１０４がＤＨＣＰサーバ１２０からＩＰアドレスを取得すると、当該ＩＰアドレスを他の端末に割り当て不可なＩＰアドレスとして、ＤＨＣＰサーバ１２０に通知する。これにより、ＤＨＣＰサーバ１２０において、ファクシミリ装置１００に割り当てたＩＰアドレスを他の端末に割り当てることを禁止することができる。
【００３０】
接続処理部１１０は、ＩＰアドレス記憶部１０６に記憶されたＩＰアドレスを用いて、通信部１１２を介してＩＰ網１４０に接続された他の端末に接続する。また、ファクシミリ装置１００のＩＰアドレスは、固定されているので、接続処理部１１０は、他の端末からのＩＰアドレスを指定したアクセスを受け付けることができる。
【００３１】
初期化処理部１１４は、ユーザからの初期化指示を受け付け、ＩＰアドレス取得部１０４が取得したＩＰアドレスを初期化する。ユーザは、たとえば移動や取り替えのためにファクシミリ装置１００とネットワーク１３０との接続を解除する際に、初期化処理部１１４に初期化指示を行うことができる。
【００３２】
具体的には、初期化処理部１１４は、ユーザからの初期化指示を受けると、ＩＰアドレス記憶部１０６に記憶されたＩＰアドレスを消去する。また、ＩＰアドレス通知部１０８は、初期化処理部１１４が初期化指示を受け付け、ＩＰアドレス記憶部１０６に記憶されたＩＰアドレスを消去すると、当該ＩＰアドレスを他の端末に割り当て可能なＩＰアドレスとして、ＤＨＣＰサーバ１２０に通知する。これにより、ＤＨＣＰサーバ１２０において、ファクシミリ装置１００で消去されたＩＰアドレスを他の端末に割り当てることが可能となる。
【００３３】
これにより、ファクシミリ装置１００が初期化される際に、固定ＩＰアドレスとしてファクシミリ装置１００に占有されていたＩＰアドレスを他の端末に割り当てることができる。
【００３４】
図２は、本実施の形態におけるファクシミリ装置１００およびＤＨＣＰサーバ１２０の処理手順を示すフローチャートである。
以下、ファクシミリ装置１００の起動時には、ＤＨＣＰクライアント機能がオフとされている場合を例として説明する。
【００３５】
まず、ファクシミリ装置１００が起動されると、ＤＨＣＰクライアント機能スイッチ１０２は、ＩＰアドレス記憶部１０６を参照して、ＩＰアドレスが保持されているか否かを検出する（Ｓ１０２）。ＩＰアドレスが保持されていない場合（Ｓ１０２のＮＯ）、ＤＨＣＰクライアント機能スイッチ１０２は、ＤＨＣＰクライアント機能をオンとする（Ｓ１０４）。
【００３６】
つづいて、ＩＰアドレス取得部１０４は、ネットワーク１３０を介してＤＨＣＰサーバ１２０に接続し、ＤＨＣＰサーバ１２０からＩＰアドレスを取得する（Ｓ１０６）。ＤＨＣＰサーバ１２０では、ファクシミリ装置１００からＩＰアドレスの割り当て要求があると、それに応じて割り当て可能なＩＰアドレスの中のいずれかをファクシミリ装置１００に付与する（Ｓ１１６）。
【００３７】
ファクシミリ装置１００において、ＩＰアドレス取得部１０４は、取得したＩＰアドレスをＩＰアドレス記憶部１０６に記憶する（Ｓ１０８）。また、ＩＰアドレス取得部１０４がＩＰアドレスを取得すると、ＩＰアドレス通知部１０８は、取得したＩＰアドレスを他の端末に割り当て不可なＩＰアドレスとして、ＤＨＣＰサーバ１２０に通知する（Ｓ１１０）。ＤＨＣＰサーバ１２０は、ＩＰアドレス通知部１０８から通知されたＩＰアドレスを、割り当て不可なＩＰアドレスとして記憶する（Ｓ１１８）。
【００３８】
この後、ＤＨＣＰクライアント機能スイッチ１０２は、ＤＨＣＰクライアント機能をオフとする（Ｓ１１２）。以上の処理により、ファクシミリ装置１００におけるＩＰアドレスの設定が終了する。
【００３９】
接続処理部１１０は、ＩＰアドレス記憶部１０６に記憶されたＩＰアドレスを固定アドレスとして用い、ＩＰ網１４０に接続して他の端末とデータの授受を行う（Ｓ１１４）。ステップＳ１０２において、ＩＰアドレスが保持されている場合（Ｓ１０２のＹＥＳ）、ステップＳ１１４に進み、上記と同様の処理を行う。
【００４０】
図３は、ユーザから初期化指示があった場合の本実施の形態におけるファクシミリ装置１００およびＤＨＣＰサーバ１２０の処理手順を示すフローチャートである。
【００４１】
初期化処理部１１４は、ユーザから初期化指示を受け付けると（Ｓ２０２のＹＥＳ）、ＩＰアドレス記憶部１０６に記憶されたＩＰアドレスを消去する（Ｓ２０４）。初期化処理部１１４がＩＰアドレスを消去すると、ＩＰアドレス通知部１０８は、消去されたＩＰアドレスを他の端末に割り当て可能なアドレスとして、ＤＨＣＰサーバ１２０に通知する（Ｓ２０６）。ＤＨＣＰサーバ１２０は、ＩＰアドレス通知部１０８から通知されたＩＰアドレスを、割り当て可能なＩＰアドレスとして記憶する（Ｓ２０８）。
【００４２】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００４３】
ファクシミリ装置１００は、ＩＰアドレス通知部１０８を有しない構成とすることもでき、そのかわりに、ファクシミリ装置１００は、ＩＰアドレス取得部１０４が取得したＩＰアドレスをユーザに通知する機能を含むことができる。ユーザの通知は、たとえばＩＰアドレスをプリンタで出力したり、電子メールで出力することにより行うことができる。これにより、ファクシミリ装置１００のユーザは、ＩＰアドレス取得部１０４が取得したＩＰアドレスを、他の端末に割り当て不可なＩＰアドレスとして、ＤＨＣＰサーバ１２０に記憶させることができる。
【００４４】
以上の実施の形態においては、ＤＨＣＰクライアント機能スイッチ１０２がＩＰアドレス記憶部１０６を参照して、ＩＰアドレスが保持されているか否かによってＤＨＣＰクライアント機能をオフまたはオンとする例を示したが、ファクシミリ装置１００は、ＩＰアドレスを取得済みか否かを示すフラグを記憶する記憶領域を含むこともできる。この場合、ＤＨＣＰクライアント機能スイッチ１０２は、フラグを参照して、ＩＰアドレスを取得済みか否かを判断することができる。この場合、初期化処理部１１４は、ユーザからの初期化指示を受け付けると、フラグをＩＰアドレスが取得されていないことを示すものに書き換えることができる。
【００４５】
また、初期化処理部１１４が初期化処理を行った場合に、ＤＨＣＰクライアント機能スイッチ１０２は、ＤＨＣＰクライアント機能をオンとするようにすることもできる。
【００４６】
また、ＤＨＣＰクライアント機能をオンとする動作は、ユーザの指示により行うこともできる。この場合、ファクシミリ装置１００の処理手順は図４に示したようになる。ファクシミリ装置１００が起動されると、ＩＰアドレス取得部１０４は、ＤＨＣＰクライアント機能がオンか否かを判断する（Ｓ３０２）。ＤＨＣＰクライアント機能がオンのとき（Ｓ３０２のＹＥＳ）、ＩＰアドレス取得部１０４は、ネットワーク１３０を介してＤＨＣＰサーバ１２０に接続し、ＤＨＣＰサーバ１２０からＩＰアドレスを取得する（Ｓ３０４）。これ以降の処理（Ｓ３０４〜Ｓ３１０、ならびにＳ３１４およびＳ３１６）は図２を参照して説明したのと同様であるので説明を省略する。
【００４７】
一方、ステップＳ３０２において、ＤＨＣＰクライアント機能がオフのとき（Ｓ３０２のＮＯ）、接続処理部１１０は、ＩＰアドレス記憶部１０６に記憶されたＩＰアドレスを固定アドレスとして用い、ＩＰ網１４０に接続して他の端末とデータの授受を行う（Ｓ３１２）。
【図面の簡単な説明】
【００４８】
【図１】本発明の実施の形態におけるファクシミリ装置の構成を示すブロック図である。
【図２】本発明の実施の形態におけるファクシミリ装置の処理手順を示すフローチャートである。
【図３】本発明の実施の形態におけるファクシミリ装置の処理手順を示すフローチャートである。
【図４】本発明の実施の形態におけるファクシミリ装置の処理手順の他の例を示すフローチャートである。
【符号の説明】
【００４９】
１００  ファクシミリ装置
１０２  ＤＨＣＰクライアント機能スイッチ
１０４  ＩＰアドレス取得部
１０６  ＩＰアドレス記憶部
１０８  ＩＰアドレス通知部
１１０  接続処理部
１１２  通信部
１１４  初期化処理部
１２０  ＤＨＣＰサーバ
１３０  ネットワーク
１４０  ＩＰ網
【図１】
2006005820.tif 000003
【図２】
2006005820.tif 000004
【図３】
2006005820.tif 000005
【図４】
2006005820.tif 000006